(57)【要約】      （修正有）【課題】光学シートを削減しても線状光源等からの光を面状の光に変換、つまり光源イメージを消すことができる上に、十分な正面輝度も確保することができる照明装置を提供すること。【解決手段】光源７と表示パネル３との間の光照射経路中には、紫外線を可視光に変換するための蛍光層を有する拡散板６のみが配されているため、光源光を拡散すると共に蛍光層が発光することにより高輝度面発光が可能となり、かつ光源イメージを消すことができる。【選択図】図１
2007316421.tif 000002
【特許請求の範囲】
【請求項１】
光源と表示パネルとの間の光照射経路中には、紫外線を可視光に変換するための蛍光層を有する拡散板のみが配されていることを特徴とする照明装置。
【請求項２】
前記拡散板は、基材と、該基材の前記表示パネル側の面に設けられた拡散層とからなると共に、前記蛍光層は、前記基材又は前記拡散層中に紫外線を可視光に変換するための蛍光体が分散された構成であることを特徴とする請求項１に記載の照明装置。
【請求項３】
前記拡散板は、基材と、該基材の前記表示パネル側の面に設けられた拡散層と、前記基材の前記光源側の面に設けられた蛍光層とからなることを特徴とする請求項１に記載の照明装置。
【請求項４】
前記光源から前記拡散板に至る光照射経路中に紫外線カットフィルタが設けられていないことを特徴とする請求項１から３のいずれかに記載の照明装置。
【請求項５】
請求項１から４のいずれかに記載の照明装置を備えてなることを特徴とする表示装置。
【発明の詳細な説明】
【技術分野】
【０００１】
本発明は、透過型の表示パネルを備える表示装置に好適に用いられる照明装置に関するものである。
【背景技術】
【０００２】
平面型の表示装置の例として、たとえば透過型の液晶表示パネルを備える液晶表示装置などは、一般的に液晶表示パネルの背面側に照明装置が配置される。この照明装置は、光源である冷陰極管などの線状光源を備え、この線状光源から発せられる光の特性を調整して表示パネルの背面側に照射する装置である。照射された光は、表示パネルを透過することにより、この表示パネルの前面側に画像が可視状態に表示される。
【０００３】
図３は、従来一般的に用いられる液晶表示装置の構造の要部を模式的に示した分解斜視図である。図示される液晶表示装置３０は、ベゼル３１、表示パネル３２、及び照明装置３３を備える。ベゼル３１は表示パネル３２の額縁となる部材で、表示パネル３２は、２枚のガラスを貼り合わせてその間に液晶を封止したものである。
【０００４】
図示される照明装置３３は、光学シート３４、拡散板３５、線状光源３６、反射板３７、シャーシ３８から構成される。光学シート３４及び拡散板３５は、線状光源３６から表示パネル３２に入射する光の特性を調整するためのものである。
【０００５】
具体的には、拡散板５は厚さ２ｍｍ程度の板形状を有しており、線状光源３６からの光を拡散させることで、輝度分布を均一にするためのものである。３枚の光学シート３４はそれぞれ厚さ０．１ｍｍ〜０．３ｍｍのシート形状を有したもので、例えば下から順に、拡散シート３４ｃ、レンズシート３４ｂ、輝度上昇シート３４ａとなっており、拡散板３５上に重ねられて配置される。拡散シート３４ｃは、拡散板３５から出射される光を更に拡散させることで、輝度分布を更に均一にするためのものである。レンズシート３４ｂは、拡散シート３４ｃから出射される光を集光することで、正面輝度を高めるためのものである。輝度上昇シート３４ａは、表示パネルの下側偏向板に光が吸収されることなく、選択的に反射させるためのものである。
【０００６】
このような拡散板３５及び光学シート３４ａ〜３４ｃにより、各線状光源３６から発せられる線状の光を面状の光に変換、つまり光源のイメージを消して液晶パネルに照射できるようになっている。
【０００７】
尚、本発明に関連する先行技術文献としては下記特許文献１が挙げられる。
【０００８】
【特許文献１】特開平６−２７３７６２号公報
【発明の開示】
【発明が解決しようとする課題】
【０００９】
しかしながら、特に複数枚からなる光学シート３４は、照明装置３３にかかるコストの大半を占めるほどになってしまっており、これら光学シート３４を削減することでコストダウンを図ることが検討されているが、正面輝度を高めるためや冷陰極管などの線状光源からの光を面状の光に変換するために必須であることなどから、削減が難しいという問題があった。
【００１０】
そこで、本発明が解決しようとする課題は、光学シートを削減しても線状光源等からの光を面状の光に変換、つまり光源イメージを消すことができる上に、十分な正面輝度も確保することができる照明装置を提供することである。
【課題を解決するための手段】
【００１１】
上記課題を解決するため、本発明に係る照明装置は、光源と表示パネルとの間の光照射経路中には、紫外線を可視光に変換するための蛍光層を有する拡散板のみが配されていることを要旨とするものである。
【００１２】
この場合、前記拡散板は、基材と、該基材の前記表示パネル側の面に設けられた拡散層とからなると共に、前記蛍光層は、前記基材又は前記拡散層中に紫外線を可視光に変換するための蛍光体が分散された構成であるようにすると良い。また、前記拡散板は、基材と、該基材の前記表示パネル側の面に設けられた拡散層と、前記基材の前記光源側の面に設けられた蛍光層とからなる構成にすると良い。
【００１３】
更に、前記光源から前記拡散板に至る光照射経路中に紫外線カットフィルタが設けられていない構成にすると良い。
【００１４】
そして、このような照明装置を備えてなる表示装置である構成にすると良い。
【発明の効果】
【００１５】
上記構成を有する照明装置によれば、光源と表示パネルとの間の光照射経路中には、紫外線を可視光に変換するための蛍光層を有する拡散板のみが配されている構成なので、光源からの光を拡散すると共に蛍光層が発光することにより高輝度面発光が可能となって、十分な輝度を確保しつつ線状の光源イメージを消すことができる。これにより、従来必要であった複数枚の光学シートを削減することが可能になり、結果、製造コストが削減される。
【００１６】
この場合、前記拡散板は、基材と、該基材の前記表示パネル側の面に設けられた拡散層とからなると共に、前記蛍光層は、前記基材又は前記拡散層中に紫外線を可視光に変換するための蛍光体が分散された構成にすれば、蛍光層を有する拡散板を容易に製造できる。また、前記拡散板は、基材と、該基材の前記表示パネル側の面に設けられた拡散層と、前記基材の前記光源側の面に設けられた蛍光層とからなる構成にすれば、基材と拡散層への紫外線の照射が蛍光層によって遮られるので、紫外線照射による変色などの品質劣化がなく、信頼性が向上する。
【００１７】
更に、前記光源から前記拡散板に至る光照射経路中に紫外線カットフィルタが設けられていない構成によれば、放電管などの光源の表面に通常貼り付けられているＵＶカットフィルムなどの紫外線カットフィルタを削減することができるので、コストダウンになる。
【００１８】
そして、このような構成の照明装置を備えてなる表示装置によれば、使用中の表示の輝度を十分に確保しつつムラもなく、従来に比べて製造コストが削減された表示装置とすることができる。
【発明を実施するための最良の形態】
【００１９】
以下に、本発明の係る照明装置及びこれを備えた表示装置の実施の形態ついて、図面を参照して詳細に説明する。図１は、本発明の一実施形態に係る表示装置の構造の要部を模式的に示したものである。
【００２０】
図１に示される液晶表示装置１は、ベゼル２、表示パネル３、及び照明装置４を備える。ベゼル２は表示パネル３の額縁となる部材で、表示パネル３は、２枚のガラスを貼り合わせてその間に液晶を封止したものである。
【００２１】
照明装置４は、フレーム５、拡散板６、放電管７、反射板８、シャーシ９、サイドホルダー１０及びインバーター回路基板１１から構成される。フレーム５は、額縁形状を有しており、拡散板６をシャーシ９及びサイドホルダー１０の載置面に固定するためのものである。
【００２２】
放電管７は、両端部に電極部ホルダ１２が装着されて、シャーシ９に固定される。この放電管７の下側に布設される反射板８は、放電管７から発せられる光を表示パネル３側に反射させるためのものである。シャーシ９とサイドホルダー１０は、放電管７を複数並列に収容する放電管収容部を形成するための部材である。この場合、シャーシ９は、金属製板材の板金加工により略箱形状に形成されたもので、放電管収容部の底部と長辺側の側壁部を構成する。サイドホルダー１０は、白色の樹脂製部材で、同じく放電管収容部の短辺側の側壁部を構成している。
【００２３】
また、シャーシ９の裏面には、放電管７を駆動する高圧交流電圧を発生させるインバータ回路基板１１と、このインバータ回路基板１１を覆うインバータ回路基板カバー１１ａが設けられている。尚、表示パネル３を制御するコントロール回路基板１３と、このコントロール回路基板１３を覆うコントロール回路基板カバー１３ａもシャーシ９の裏面に設けられている。
【００２４】
次に図２を用いて本発明に係る拡散板６について説明する。図２（ａ）に示されるように、拡散板６は表示パネル側に面した拡散層６ａと光源側に面した基材６ｂとから構成されている。
【００２５】
この場合、拡散層６ａには、紫外線を可視光に変換するための蛍光体６ｃが拡散層６ａ中に分散して設けられている。このような拡散層６ａは、例えば、球状の有機ポリマー粒子からなる光拡散剤と蛍光体６ｃが混入された樹脂を含んだ溶液を、透明基板からなる基材６ｂに塗布して乾燥させることにより容易に得られる。蛍光体６ｃは、紫外線により赤色発光、緑色発光、青色発光する３種の蛍光体がそれぞれ同量用いられており、混色して白色発光するようになっている。したがって、この拡散板６は、光源からの光を拡散すると共に蛍光体６ｃにより発光もするので、高輝度面発光となる。これにより、従来必要であった複数枚の光学シートを削減しても、十分な輝度を確保しつつ光源イメージを消すことが可能となっている。
【００２６】
また、照明装置４において、このような拡散板６を用いることで、光学シートの削減及びこれらの組み立て工数の削減がなされるため、製造コストを下げることができる。更に、光学シートの熱的要因による撓みの為の表示品位の低下などの問題もないため、信頼性が向上する。
【００２７】
この場合、拡散板６の蛍光体６ｃを励起する紫外線は、放電管７からの照射光に含まれる紫外線が利用されている。一般的に放電管７は、放電で生じた紫外線で管内壁に設けられた蛍光体を励起して発光させることにより光を照射するものであるが、放電で生じた全ての紫外線が管内壁の蛍光体を励起するわけではなく、一部は管外に放出されているため、照射光には紫外線が含まれている。
【００２８】
通常、このような漏れ紫外線よる光学シート等の紫外線劣化や、液晶パネルから外部への紫外線放出などを防止するため、放電管７にＵＶカットフィルムを貼り付けるなどの紫外線を吸収するための紫外線カットフィルタが設けられている。本発明の実施の形態では、拡散板６に設けられた蛍光体６ｃの励起に、この漏れ紫外線を利用するため、放電管７にＵＶカットフィルムを貼り付ける必要がなく、その分のコストダウンが可能となっている。
【００２９】
また、従来技術で説明した拡散板３５の上面には、光学シート３４が貼り付いてしまうのを防止するため、通常、表面を凸凹状にするエンボス加工が施されているが、本発明の係る照明装置４には光学シートが存在しないため、拡散板６の上面にエンボス加工を施す必要がなく、その分のコストダウンを図ることが可能になっている。
【００３０】
尚、図２（ａ）の拡散板６の構成の変形例としては、図２（ｂ）に示すように、蛍光体６ｃを基材６ｂ中に分散させる構成でも良く、図２（ａ）と同様の効果を奏する。このような基材６ｂは、蛍光体６ｃが混入された透明樹脂を板状に成型することで容易に得られる。また、図２（ｃ）に示すように、通常の拡散層６ａと基材６ｂからなる拡散板の基材６ｂの下面、つまり光源側の面に、蛍光体６ｃを含む溶液を塗布し乾燥させることで形成した蛍光層６ｄを設けた構成でも良い。この場合、光源からの照射光に含まれる紫外線は、蛍光層６ｄで蛍光体６ｃの発光の励起に供されて可視光に変換されるので、その上に位置する基材６ｂや拡散層６ａに紫外線が届かないため、これら部材の変色等の品質劣化が防止される。
【００３１】
以上、本発明の実施形態について説明したが、本発明はこうした実施形態に何ら限定されるものではなく、本発明の要旨を逸脱しない範囲において、種々なる態様で実施できることは勿論である。例えば、光源としては、紫外線ＬＥＤや管内壁に蛍光体が設けられていない放電管などを用いても良い。
【図面の簡単な説明】
【００３２】
【図１】本発明の一実施形態に係る照明装置を備えた表示装置の概略を示す分解斜視図である。
【図２】図１に示した照明装置が備える拡散板の概略構成を示した図である。
【図３】従来用いられてきた照明装置を備えた表示装置の概略構成を示した図である。
【符号の説明】
【００３３】
１  液晶表示装置
２  ベゼル
３  表示パネル
４  照明装置
５  フレーム
６  拡散板
６ａ  拡散層
６ｂ  基材
６ｃ  蛍光体
６ｄ  蛍光層
７  放電管
８  反射板
９  シャーシ
１０  サイドホルダー
１１  インバーター回路基板
１１ａ  インバーター回路基板カバー
１２  電極部ホルダ
１３  コントロール回路基板
１３ａ  コントロール回路基板カバー
３０  液晶表示装置
３４  光学シート
３４ａ  輝度上昇シート
３４ｂ  レンズシート
３４ｃ  拡散シート
３５  拡散板
３６  線状光源
【図１】
2007316421.tif 000003
【図２】
2007316421.tif 000004
【図３】
2007316421.tif 000005